Podtech/llm-jp-corpus-v4-ja_patent huggingface dataset:
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
フルフラールと５−アルコキシメチルフルフラール誘導体との混合物を製造する方法であって、酸触媒の存在下でヘキソース及びペントース含有出発材料を、脂肪族Ｃ１〜Ｃ２０アルコールと反応させることにより、フルフラールと５−（アルコキシメチル）フルフラールとの混合物を得て、その後の該フルフラールと５−アルコキシメチルフルフラールとの混合物の水素化及び／又はエーテル化により、５−（アルコキシメチル）フルフラールとフルフラールとの両方のアルデヒド官能基をアルコキシメチル官能基又はメチル官能基に変換させることを特徴とする方法。
【請求項２】
請求項１に記載の方法において、前記アルコールが第１級、第２級又は第３級、好ましくは第１級又は第２級、より好ましくは第１級のモノアルコールであり、好ましくは、４個以上の炭素原子を有するモノアルコールが分枝状炭素骨格を有することを特徴とする方法。
【請求項３】
請求項２に記載の方法において、前記モノアルコールが、２−プロパノール、２−ブタノール、２−メチル−１−プロパノール（イソブタノール）、２−メチル−２−プロパノール（ｔｅｒｔ−ブタノール）、２−ペンタノール（ｓ−アミルアルコール）；２−メチル−１−ブタノール（ｐ−アミルアルコール）；２−メチル−２−ブタノール（ｔ−アミルアルコール）；３−メチル−１−ブタノール（イソアミルアルコール）；２，２−ジメチル−１−プロパノール（ネオペンチルアルコール）；２−ヘキサノール；及び２−エチル−１−ヘキサノール（イソオクチルアルコール）を含むＣ３〜Ｃ８アルコールから成る群の１つ又は複数、好ましくはイソブタノール、ｔｅｒｔ−ブタノール、イソアミルアルコール、イソオクチルアルコールから、好ましくはメタノール、エタノール、１−プロパノール、２−プロパノール、イソブタノール、ｔｅｒｔ−ブタノール、イソアミルアルコール、イソオクチルアルコール及びこれらの混合物から成る群から選択されることを特徴とする方法。
【請求項４】
請求項１〜３のいずれか一項に記載の方法において、前記酸触媒が、固体有機酸、無機酸、塩、ルイス酸から選択される均一系又は不均一系の酸、イオン交換樹脂、ゼオライト又はこれらの混合物及び／又は組合せから成る群から選択されることを特徴とする方法。
【請求項５】
請求項１に記載の方法において、前記酸触媒が固体ブレンステッド酸であることを特徴とする方法。
【請求項６】
請求項１に記載の方法において、前記酸触媒が固体ルイス酸であることを特徴とする方法。
【請求項７】
請求項１〜６のいずれか一項に記載の方法において、前記反応を、５０℃〜３００℃、好ましくは１２５℃〜２５０℃、より好ましくは１５０℃〜２２５℃の温度で行うことを特徴とする方法。
【請求項８】
請求項１〜７のいずれか一項に記載の方法において、前記ヘキソースが、
デンプン、アミロース、ガラクトース、セルロース、ヘミセルロース、
グルコース含有二糖、
グルコース又はフルクトース並びにこれらの酸化誘導体、還元誘導体、エーテル化誘導体、エステル化誘導体及びアミド化誘導体から成る群から選択されることを特徴とする方法。
【請求項９】
請求項１〜７のいずれか一項に記載の方法において、前記ペントースが、アラビノース、リボース、リブロース、キシロース、キシルロース、リキソース、並びにこれらの酸化誘導体、還元誘導体、エーテル化誘導体、エステル化誘導体及びアミド化誘導体から成る群から選択されることを特徴とする方法。
【請求項１０】
請求項１〜９のいずれか一項に記載の方法において、溶媒の存在下で行い、前記溶媒（単数又は複数）が、水、スルホキシド、ケトン、イオン性液体、エステル、エーテル、アルコール、並びにこれらの混合物から成る群から選択されることを特徴とする方法。
【請求項１１】
請求項１〜１０のいずれか一項に記載の方法において、連続フロープロセスで行うことを特徴とする方法。
【請求項１２】
請求項１１に記載の方法において、前記連続フロープロセスにおける滞留時間が、０．１秒〜１０時間、好ましくは１秒〜１時間、より好ましくは５秒〜２０分であることを特徴とする方法。
【請求項１３】
請求項１２に記載の方法において、前記連続フロープロセスが固定床連続フロープロセスであることを特徴とする方法。
【請求項１４】
請求項１３に記載の方法において、前記固定床が不均一系酸触媒を含むことを特徴とする方法。
【請求項１５】
請求項１４に記載の方法において、前記連続フロープロセスが反応蒸留プロセス又は触媒性蒸留プロセスであることを特徴とする方法。
【請求項１６】
請求項１５に記載の方法において、不均一系酸触媒に加えて、無機酸触媒又は有機酸触媒を、前記固定床連続フロープロセス又は触媒性蒸留連続フロープロセスの供給材料に加えることを特徴とする方法。
【請求項１７】
請求項１３〜１６のいずれか一項に記載の方法において、液空間速度（「ＬＨＳＶ」）が１〜１０００、好ましくは５〜５００、より好ましくは１０〜２５０、及び最も好ましくは２５〜１００であることを特徴とする方法。
【請求項１８】
請求項１〜１７のいずれか一項に記載の方法によって生成されるエーテルをエンジン用の燃料又は燃料添加剤として用いることを特徴とするエーテルの使用。
【請求項１９】
請求項１〜１７のいずれか一項に記載の方法によって生成されるエーテルを含む燃料又は燃料組成物であって、任意選択的にガソリン及びガソリン−エタノールブレンド、ケロシン、ディーゼル、バイオディーゼル、フィッシャー・トロプシュ液、ディーゼル−バイオディーゼルブレンド及びグリーンディーゼル、並びにディーゼル及び／又はバイオディーゼルとグリーンディーゼルとのブレンド、並びにフラン及びテトラヒドロフランの他の誘導体の１つ又は複数とブレンドして、エンジン用の燃料成分として用いられることを特徴とする燃料又は燃料組成物。
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
a)(i)少なくとも１種のカチオン性ポリマー、および
(ii)少なくとも１種のアニオン性色素
から形成される、着色に有効な量の少なくとも１種の色素ポリマー複合体であって、成分a)(i)およびa)(ii)がパーソナルケア組成物に添加される前に複合体化して粒子を形成しており、前記複合体が最終製品中に粒子として残存する、前記色素ポリマー複合体；ならびに
b)  任意の追加成分、
を含んでなるパーソナルケア組成物（ただし、ポリビニルアミン塩酸塩もしくは塩化ジアリルジメチルアンモニウムの分子量が50,000原子質量単位未満のホモポリマーは、成分a)(i)のカチオン性ポリマーとして除く）。
【請求項２】
成分a)(ii)のアニオン性色素が、ハロゲン含有酸性色素、反応性色素、アゾ色素、アントラキノン色素および天然酸性色素からなる群から選択される、請求項１に記載の組成物。
【請求項３】
成分a)(i)のカチオン性ポリマーが、1〜100重量%の少なくとも１種のカチオン性モノマーIb、0〜99重量%の少なくとも１種の他の共重合可能なモノマーII、ならびに、必要に応じて、0〜10重量%の架橋剤の反応生成物である、請求項１または２に記載の組成物。
【請求項４】
成分a)(i)のカチオン性ポリマーが、第一級、第二級および第三級アミン、ならびにそれらの塩、さらに第四級アンモニウムおよびホスホニウム塩、ならびにそれらの混合物からなる群から選択される基を含有する、請求項１〜３のいずれかに記載の組成物。
【請求項５】
成分a)(i)のカチオン性ポリマーが、少なくとも１種のカチオン性モノマーIbの単独重合、または共重合可能なモノマーIIとIbとの共重合から得られ、
前記カチオン性モノマーが、塩化ジアリルジメチルアンモニウム、臭化ジアリルジメチルアンモニウム、硫酸ジアリルジメチルアンモニウム、リン酸ジアリルジメチルアンモニウム、塩化ジメタリルジメチルアンモニウム、塩化ジエチルアリルジメチルアンモニウム、塩化ジアリルジ(β-ヒドロキシエチル)アンモニウムおよび塩化ジアリルジ(β-エトキシエチル)アンモニウム、アクリル酸アミノアルキル；N,N'-ジメチルアミノプロピルアクリルアミドおよびその塩、アリルアミンおよびその塩、ジアリルアミンおよびその塩、ビニルアミンおよびその塩、ビニルピリジンおよびその塩、ならびにそれらの混合物から選択される、請求項１〜４のいずれかに記載の組成物。
【請求項６】
c)紫外線吸収剤、酸化防止剤、トコフェロール、酢酸トコフェロール、ヒンダートアミン系光安定剤、錯形成剤、光学的光沢剤、界面活性剤およびポリオルガノシロキサンからなる群から選択される少なくとも１種の化合物、
を追加して含んでなる、請求項１〜５のいずれかに記載の組成物。
【請求項７】
紫外線吸収剤が、2H-ベンゾトリアゾール、s-トリアジン、ベンゾフェノン、α-シアノアクリレート、オキサニリド、ベンゾオキサジノン、ベンゾエートおよびα-アルキルシンナメートからなる群から選択される、請求項６に記載の組成物。
【請求項８】
d) 色素もしくは顔料、またはそれらの混合物、
を追加して含んでなる、請求項１〜７のいずれかに記載の組成物。
【請求項９】
パーソナルケア製品が、洗濯用品、衣類柔軟仕上げ剤、液体洗浄剤、研磨洗剤、ガラス用洗剤、中性洗剤、万能洗剤、酸性浴室洗浄剤、浴室洗浄剤、洗浄剤、リンス剤、食器洗剤、台所洗剤、オーブン用洗剤、クリアリンス剤、食器洗い機用洗剤、靴みがき剤、つや出しワックス、床用洗剤、床磨き剤、金属清浄剤、ガラス洗浄剤、陶磁器洗浄剤、布地を手入れする製品、絨毯洗浄剤およびカーペットシャンプー、錆落とし剤、染み抜き剤、家具用つや出し剤、万能つや出し剤、革用被覆剤、ビニール製品被覆剤、およびエアフレッシュナーからなる群から選択される、請求項１〜８のいずれかに記載の組成物。
【請求項１０】
a)(i)少なくとも１種のカチオン性ポリマー、および
(ii)少なくとも１種のアニオン性色素
から形成される、着色に有効な量の少なくとも１種の色素ポリマー複合体であって、成分a)(i)およびa)(ii)が、パーソナルケア組成物に組み入れられる、もしくは適用される前に複合体化して粒子を形成しており、前記複合体が最終製品中に粒子として残存する、前記色素ポリマー複合体、
をパーソナルケア組成物に組み入れる、もしくは適用することを含んでなる、パーソナルケア組成物を着色する方法（ただし、ポリビニルアミン塩酸塩もしくは塩化ジアリルジメチルアンモニウムの分子量が50,000原子質量単位未満のホモポリマーは、成分a)(i)のカチオン性ポリマーとして除く）。
【手続補正書】
【提出日】平成23年8月17日(2011.8.17)
【手続補正１】
【補正対象書類名】明細書
【補正対象項目名】０００１
【補正方法】変更
【補正の内容】
【０００１】
本願は、米国仮出願第６０／９６９０１９号（２００７年８月３０日付で出願）、米国仮出願第６０／９７９５２６号（２００７年１０月１２日付で出願）、米国仮出願第６０／９９１９６４号（２００７年１２月３日付で出願）、および米国仮出願第６１／０３１４７９号（２００８年２月２６日付で出願）の利益を主張するものである。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００２
【補正方法】変更
【補正の内容】
【０００２】
【特許文献１】  米国特許出願公開第２００７／０８７９７１号明細書
【特許文献２】  米国特許出願公開第２００６／１９８８３９号明細書
【特許文献３】  欧州特許第０３０３２３３号明細書
【特許文献４】  国際公開第０３／０３３８０８号パンフレット
【発明の概要】
【課題を解決するための手段】
【手続補正３】
【補正対象書類名】明細書
【補正対象項目名】０００３
【補正方法】変更
【補正の内容】
【０００３】
本明細書中で開示される実施形態は、溶解性、バイオアベイラビリティ、およびプロテアーゼ切断に対する血清中の抵抗性（ｉｎ−ｓｅｒｕｍ−ｒｅｓｉｓｔａｎｃｅ）を高めるように設計されることによって、治療薬としての有効性を改善する、膵島形成促進性ペプチド（ｐｒｏｉｓｌｅｔ  ｐｅｐｔｉｄｅ）の処方物、誘導体、および改変、ならびにそれらを使用する方法を提供する。
１つの実施形態において、膵島形成促進性ペプチドおよびその誘導体は、Ｎ末端のアセチル基およびＣ末端のアミド基でブロックされている。
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010538019.tif 000001
〔式中、
ＡはＰＯ(ＯＲ)(ＯＲ')であって、ここで、ＲおよびＲ'は独立してＨ、Ｃ１−Ｃ６アルキル、アリールおよびＸから選択され、ここで、Ｘはアンモニウム、メチルアンモニウム、ジメチルアンモニウム、トリメチルアンモニウム、テトラメチルアンモニウム、エタノール−アンモニウム、ジシクロヘキシルアンモニウム、グアニジニウム、エチレンジアンモニウムカチオン、リチウムカチオン、ナトリウムカチオン、カリウムカチオン、セシウムカチオン、ベリリウムカチオン、マグネシウムカチオン、およびカルシウムカチオン、亜鉛カチオンから成る群から選択されるカチオン性カウンターイオンであり；そして
Ｒ１はＮＨ２、ＮＨ３＋Ｈ２ＰＯ４−、またはＮＨ(Ｃ＝ＮＨ)ＮＨ２である。〕
を有する化合物。
【請求項２】
式Ｉが：
【化２】
2010538019.tif 000002
である、請求項１に記載の化合物。
【請求項３】
式Ｉが：
【化３】
2010538019.tif 000003
である、請求項１に記載の化合物。
【請求項４】
式Ｉが：
【化４】
2010538019.tif 000004
である、請求項１に記載の化合物。
【請求項５】
式Ｉが：
【化５】
2010538019.tif 000005
である、請求項１に記載の化合物。
【請求項６】
式Ｉが：
【化６】
2010538019.tif 000006
である、請求項１に記載の化合物。
【請求項７】
式Ｉが：
【化７】
2010538019.tif 000007
である、請求項１に記載の化合物。
【請求項８】
式Ｉが：
【化８】
2010538019.tif 000008
である、請求項１に記載の化合物。
【請求項９】
治療的有効量の請求項１〜８のいずれかに記載の化合物および薬学的担体を含む組成物。
【請求項１０】
式Ｉ：
【化９】
2010538019.tif 000009
〔式中、
ＡはＰＯ(ＯＲ)(ＯＲ')であって、ここで、ＲおよびＲ'は独立してＨ、Ｃ１−Ｃ６アルキル、アリールおよびＸから選択され、ここで、Ｘはアンモニウム、メチルアンモニウム、ジメチルアンモニウム、トリメチルアンモニウム、テトラメチルアンモニウム、エタノール−アンモニウム、ジシクロヘキシルアンモニウム、グアニジニウム、エチレンジアンモニウムカチオン、リチウムカチオン、ナトリウムカチオン、カリウムカチオン、セシウムカチオン、ベリリウムカチオン、マグネシウムカチオン、およびカルシウムカチオン、亜鉛カチオンから成る群から選択されるカチオン性カウンターイオンであり；そして
Ｒ１はＮＨ２、ＮＨ３＋Ｈ２ＰＯ４−、またはＮＨ(Ｃ＝ＮＨ)ＮＨ２である。〕
の組成物を、少なくとも図３〜８のスキームの一つに従い製造する、方法。
【請求項１１】
生物におけるノイラミニダーゼの活性を阻害するための医薬の製造における、請求項１〜８のいずれかに記載の化合物の使用。
【請求項１２】
生物が動物である、請求項１１に記載の使用。
【請求項１３】
生物がヒトである、請求項１２に記載の使用。
【請求項１４】
生物がインフルエンザ様症状を示す、請求項１１に記載の使用。
【手続補正２】
【補正対象書類名】明細書
【補正対象項目名】００３４
【補正方法】変更
【補正の内容】
【００３４】
タミフル現在の工業的合成は、出発物質として天然に存在するシキミ酸に頼る。しかしながら、一定純度でのシキミ酸の入手可能性が問題を引き起こし得る。この合成はまた、起爆性アジド試薬および中間体の操作の欠点も有する。タミフルのいくつかの新規合成法は、シキミ酸非依存的方法に着手した。タミフルにおけるシクロヘキセンカルボキシレートの中心構造を確立するために、種々のタイプのディールス・アルダー反応が適用されている。例えば、タミフル合成用キラル中間体を得るために、フランとアクリレートの間のディールス・アルダー反応、続いて酵素的分割が行われている。同様に、１−トリメチルシリルオキシ−１,３−ブタジエンと塩化フマリルのディールス・アルダー反応がこの中心構造を構築するために使用されている；しかしながら、鍵となる中間体のラセミ混合物のキラルＨＰＬＣによる分離がこの一連の合成では必要である。あるいは、触媒的エナンチオ選択的ディールス・アルダー反応が、タミフル合成のための必要なキラルシクロヘキセンカルボキシレートを提供する。
【手続補正３】
【補正対象書類名】明細書
【補正対象項目名】０１３４
【補正方法】変更
【補正の内容】
【０１３４】
エタノール(１５mL)中のアジド１０ｂ(１０１mg、０.３mmol)の溶液を、リンドラー触媒(５０mg)で、水素雰囲気下で１６時間、室温処理した。反応混合物をセライトで濾過し、エタノールで濯いだ。濾液を減圧下蒸発させて、無色泡状物(９０mg)を得て、それをＣＨＣｌ３(１０mL)に溶解し、ブロモトリメチルシラン(１mL、７.６mmol)で０℃で処理した。混合物を室温に温め、２４時間撹拌し、減圧下濃縮した。残渣を水(１０mL)に取り込み、２時間、室温で撹拌し、凍結乾燥に付した。残渣をＣ１８カラムで精製して(０.１Ｍ  水性ＮＨ４ＨＣＯ３溶液)、アンモニウムホスホネート１４ｂ(６４mg、８５％収率)を得た。無色固体、ｍｐ  １９０−１９２℃；
【表２８】
2010538019.tif 000010
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
それを必要とする対象において創傷の治療、血管新生、または内皮細胞増殖および／または遊走の促進に使用するβＢ２クリスタリンタンパク質またはβＢ２クリスタリンタンパク質の血管新生断片。
【請求項２】
前記タンパク質は、βＢ２クリスタリンまたはβＢ２クリスタリンの血管新生断片の修飾形態である、請求項１に記載のタンパク質。
【請求項３】
前記タンパク質は、βＢ２クリスタリンの血管新生断片である、請求項１または２のタンパク質。
【請求項４】
前記血管新生断片は、βＢ２クリスタリンのエラスターゼ切断産物である、請求項３のタンパク質。
【請求項５】
前記タンパク質は、ウシもしくはヒツジクリスタリンタンパク質またはウシもしくはヒツジクリスタリンタンパク質の血管新生断片である、請求項１から４のいずれか１項に記載のタンパク質。
【請求項６】
創傷の治療に使用する請求項１から５のいずれか１項に記載のタンパク質またはタンパク質の断片。
【請求項７】
前記クリスタリンタンパク質は、眼水晶体βＢ２クリスタリンタンパク質または眼水晶体βＢ２クリスタリンタンパク質の血管新生断片である、請求項１から６のいずれか１項に記載のタンパク質。
【請求項８】
前記タンパク質またはタンパク質の断片は、前記対象に局所投与するために局所的に受け入れられる組成物として提供される、請求項１から７のいずれか１項に記載のタンパク質。
【請求項９】
薬学的に許容できるキャリアと共に、少なくとも１つのβＢ２クリスタリンタンパク質または前記クリスタリンタンパク質の血管新生断片を含む、対象において創傷を治療し、または血管新生、内皮細胞増殖および／または遊走を促進する医薬組成物。
【請求項１０】
前記タンパク質は、βＢ２クリスタリンまたはβＢ２クリスタリンの血管新生断片の修飾形態である、請求項９に記載の組成物。
【請求項１１】
前記タンパク質は、βＢ２クリスタリンの血管新生断片である、請求項９の組成物。
【請求項１２】
前記血管新生断片は、βＢ２クリスタリンのエラスターゼ切断産物である、請求項１１の組成物。
【請求項１３】
前記タンパク質は、ウシもしくはヒツジクリスタリンタンパク質またはウシもしくはヒツジクリスタリンタンパク質の血管新生断片である、請求項９から１２のいずれか１項に記載の組成物。
【請求項１４】
前記対象に局所投与するために局所的に受け入れられる組成である、請求項９から１３のいずれか１項に記載の組成物。
【請求項１５】
前記βＢ２クリスタリンは、眼水晶体クリスタリンタンパク質または眼水晶体クリスタリンタンパク質の血管新生断片である、請求項９から１４のいずれか１項に記載の組成物。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
ニキビダニ属感染症又はニキビダニ属に誘発される眼瞼炎の治療における使用に適した組成物であって、
該組成物がティートリーオイル中に見いだされる抗ニキビダニ属活性化合物を含むことを特徴とする組成物。
【請求項２】
前記使用に適した組成物がテルピネン−４−オル、α−テルピネオル、テルピノレン、γ−テルピネン、1,8シネオール、α−テルピネン、リモネン又はティートリーオイルを含むことを特徴とする請求項１記載の組成物。
【請求項３】
前記使用に適した組成物が皮膚科的に許容される基剤を含むことを特徴とする請求項１又は２に記載の組成物。
【請求項４】
前記使用に適した組成物が眼科的に許容される基剤を含むことを特徴とする請求項１又は２に記載の組成物。
【請求項５】
前記使用に適した組成物が目を刺激する薬剤を略含まないことを特徴とする請求項４に記載の組成物。
【請求項６】
前記使用に適した組成物がテルピネン−４−オルを含むことを特徴とする請求項３乃至５いずれかに記載の組成物。
【請求項７】
前記使用に適した組成物が５％から１００％ｗ／ｗのテルピネン−４−オルを含むことを特徴とする請求項６記載の組成物。
【請求項８】
前記使用に適した組成物が１０％から１００％ｗ／ｗのテルピネン−４−オルを含むことを特徴とする請求項６記載の組成物。
【請求項９】
前記使用に適した組成物が５％から５０％のテルピネン−４−オルを含むことを特徴とする請求項６記載の組成物。
【請求項１０】
前記使用に適した組成物が５％から１５％ｗ／ｗのテルピネン−４−オル、例えば１０％を含むことを特徴とする請求項６記載の組成物。
【請求項１１】
前記使用に適した組成物が０．２％から２０％ｗ／ｗのティートリーオイル、例えば３．０％から１５％、４％から１０％、又は５％ｗ／ｗのティートリーオイルを含むことを特徴とする請求項１乃至５いずれかに記載の組成物。
【請求項１２】
前記使用に適した組成物が軟膏の形態であることを特徴とする請求項１乃至１１いずれかに記載の組成物。
【請求項１３】
ニキビダニ属感染症又はニキビダニ属に誘発される眼瞼炎の治療における眼科的な使用に適した組成物であって、
該組成物がティートリーオイル中に見いだされる抗ニキビダニ属活性化合物を含むことを特徴とする組成物。
【請求項１４】
前記組成物が請求項１乃至１２のいずれかに説明されるニキビダニ属薬剤を含むことを特徴とする請求項１３に記載の化合物。
【請求項１５】
前記組成物が目を刺激し或いは目を害する薬剤を略含まないとともに、テルピネン−４−オルを、例えば、５％から１００％、１０％から１００％、５％から５０％、５％から１５％又は１０％ｗ／ｗを含むことを特徴とする請求項１３に記載の組成物。
【手続補正書】
【提出日】平成23年8月23日(2011.8.23)
【手続補正１】
【補正対象書類名】特許請求の範囲
【補正対象項目名】請求項１６
【補正方法】変更
【補正の内容】
【請求項１６】
請求項１に記載の化合物の有効量を有効成分として含む、可逆性閉塞性気道疾患と関連する気管支収縮を治療するための医薬組成物。
【手続補正書】
【提出日】平成23年8月23日(2011.8.23)
【手続補正１】
【補正対象書類名】特許請求の範囲
【補正対象項目名】請求項１７
【補正方法】変更
【補正の内容】
【請求項１７】
請求項１に記載の化合物の有効量を有効成分として含む、可逆性閉塞性気道疾患と関連する気管支収縮を治療するための医薬組成物。
【手続補正２】
【補正対象書類名】明細書
【補正対象項目名】００７６
【補正方法】変更
【補正の内容】
【００７６】
試料の分析：１２週目に、すべての溶液を、ｐＨ５における０日目の溶液を標準溶液として用いるＨＰＬＣ方法によりアッセイする。試験化合物を、ＵＶ検出器を備えるＨＰＬＣによりアッセイする（方法条件については表１を参照のこと）。
【表１】
2010538009.tif 000001
【表２】
2010538009.tif 000002
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
表１に列挙されたペプチドから選択されるペプチドであって、ペプトンの生物学的活性を示すペプチドを含んでなる、細胞増殖及び／又は細胞密度及び／又は細胞生存率及び／又は組換え宿主培養における異種ポリペプチドの生産効率を促進するための薬剤。
【請求項２】
ペプチドがペプトンの分画によって得られるか又はペプチドが化学的に合成される請求項１に記載の薬剤。
【請求項３】
上記ペプトンがＰＰ３（プロテオースペプトンの成分３）である請求項２に記載の薬剤。
【請求項４】
ペプチドが、表１に列挙されたジペプチドから選択される請求項１に記載の薬剤。
【請求項５】
ペプチドがトリペプチドである請求項１に記載の薬剤。
【請求項６】
上記ペプチドが、表１に列挙されたペプチドから選択されるトリペプチドである請求項１に記載の薬剤。
【請求項７】
請求項２に記載のペプチドを含有する細胞培養培地。
【請求項８】
請求項２に記載のペプチドを含有する細胞培養物。
【請求項９】
組換え宿主細胞の培養物である請求項８に記載の細胞培養物。
【請求項１０】
上記宿主細胞が真核生物宿主細胞である請求項９に記載の細胞培養物。
【請求項１１】
上記宿主細胞が、チャイニーズハムスター卵巣（ＣＨＯ）細胞である請求項１０に記載の細胞培養物。
【請求項１２】
上記組換え宿主細胞が異種タンパク質を生産し、上記組換えタンパク質が抗体又は抗体断片であってもよい請求項９に記載の細胞培養物。
【請求項１３】
式
（Ｘ１）ｎＸ２Ｒ
（上式中、Ｘ１とＸ２は同一か異なっていてもよく、独立してアルギニン以外の何れかのアミノ酸からなり；
ｎは０又は１であり；
Ｒはアルギニンを表す）
のペプチドからなり、
該ペプチドの少なくとも幾らかがペプトン生物学的活性を示す、コンビナトリアルペプチドライブラリー。
【請求項１４】
異種タンパク質の組換え生産方法であって、
（ｉ）上記タンパク質をコードする核酸を含む組換え宿主細胞を、上記異種タンパク質の発現に適した条件下で培養培地中で培養すること、及び
（ｉｉ）請求項１から６の何れか一項に記載のペプチドの少なくとも一つを培養培地に加えること
を含む方法。
【請求項１５】
（ｉ）上記組換え宿主細胞が真核生物宿主細胞又は原核生物宿主細胞であり、及び／又は
（ｉｉ）上記異種タンパク質が抗体又は抗体断片である、
請求項１４に記載の方法。
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
VEGFR-2特異的阻害剤、および医薬的に許容される担体、賦形剤、もしくは安定剤を含有する、転移性癌の治療、予防、または拡散の低減のための医薬組成物であって、該VEGFR-2特異的阻害剤は、ヒトVEGFR-2に結合する第１のポリペプチドを含み、約80から約150のアミノ酸を含有する該ポリペプチドは、a)少なくとも２つのβシートに分布した少なくとも５〜７のβストランドもしくはβ-様ストランド、およびb)βストランドもしくはβ-様ストランドである２つのストランドを結合する少なくとも１つのループ部分（該ループ部分はVEGFR-2への結合に関与する）を含有する構造的構成を有し、ここで該ポリペプチドはヒトVEGFR-2タンパク質の細胞外ドメインに1 x 10-6 M未満の解離定数(Kd)で結合し、VEGFR-2媒介血管新生を阻害する、医薬組成物。
【請求項２】
該癌が乳癌である、請求項１に記載の医薬組成物。
【請求項３】
該ポリペプチドが配列番号:1に対して少なくとも80％同一であるアミノ酸配列を含有する、請求項１に記載の医薬組成物。
【請求項４】
該ポリペプチドが配列番号:2-60のいずれかからなる群から選択されるアミノ酸配列を含有する、請求項１に記載の医薬組成物。
【請求項５】
該ポリペプチドがポリオキシアルキレン部分をさらに含有する、請求項１に記載の医薬組成物。
【請求項６】
該ポリオキシアルキレン部分がポリエチレングリコール(PEG)部分である、請求項５に記載の医薬組成物。
【請求項７】
VEGFR-2特異的阻害剤および第２の化学療法薬を組み合わせて含む、転移性癌の治療、予防、または拡散の低減のための剤。
【請求項８】
該第２の化学療法薬を該VEGFR-2特異的阻害剤の前、同時、または後で投与することを特徴とする、請求項７に記載の剤。
【請求項９】
該第２の薬剤がスニチニブマレートである、請求項７または８に記載の剤。
【請求項１０】
該第２の薬剤がラパチニブである、請求項７または８に記載の剤。
【請求項１１】
該第２の薬剤がソラフェニブである、請求項７または８に記載の剤。
【請求項１２】
該第２の薬剤がAZD2171である、請求項７または８に記載の剤。
【請求項１３】
該第２の薬剤がベバシズマブである、請求項７または８に記載の剤。
【請求項１４】
該第２の薬剤がアフリベルセプトである、請求項７または８に記載の剤。
【請求項１５】
該第２の薬剤がmTor阻害剤である、請求項７または８に記載の剤。
【請求項１６】
該mTor阻害剤がラパマイシンである、請求項１５に記載の剤。
【請求項１７】
該第２の薬剤がゲムシタビンである、請求項７または８に記載の剤。
【請求項１８】
該第２の薬剤がテモゾロミドである、請求項７または８に記載の剤。
【請求項１９】
該第２の薬剤がダサチニブである、請求項７または８に記載の剤。
【請求項２０】
該第２の薬剤がセツキシマブである、請求項７または８に記載の剤。
【請求項２１】
該第２の薬剤がテムシロリムスである、請求項７または８に記載の剤。
【請求項２２】
該第２の薬剤がイクサベピロンである、請求項７または８に記載の剤。
【請求項２３】
該第２の薬剤がイマチニブメシレートである、請求項７または８に記載の剤。
【請求項２４】
該第２の薬剤がトラスツズマブである、請求項７または８に記載の剤。
【請求項２５】
該第２の薬剤がタキサンである、請求項７または８に記載の剤。
【請求項２６】
該第２の薬剤がオキサリプラチンである、請求項７または８に記載の剤。
【請求項２７】
該第２の薬剤が5-フルオロウラシルである、請求項７または８に記載の剤。
【請求項２８】
該VEGFR-2特異的阻害剤が、配列番号:1に対して少なくとも80％同一であるアミノ酸配列を含有する第２のポリペプチドをさらに含む、請求項２に記載の医薬組成物。
【手続補正２】
【補正対象書類名】明細書
【補正対象項目名】００５６
【補正方法】変更
【補正の内容】
【００５６】
好ましくは、該フィブロネクチン-ベースのスキャフォールドタンパク質は「10FN3」スキャフォールドであり、それはヒトフィブロネクチンタイプIIIタンパク質の１０番目のモジュールに基づくポリペプチド変異体を意味し、その１つ以上の溶媒露出ループ、とりわけ、BCループ(アミノ酸23-30)、DEループ(アミノ酸52-56)およびFGループ(アミノ酸77-87)として同定された該３つのループ(該番号付け方法は１０番目のヒトフィブロネクチンのタイプIIIドメインにおける配列に基づいており、アミノ酸Val-Ser-Asp-Val-Pro(配列番号:62)はアミノ酸番号1−5を表す) の１つ以上がランダム化または変異されている。ヒトフィブロネクチンタイプIIIドメインの野生型１０番目のモジュールのアミノ酸配列は:
VSDVPRDLEVVAATPTSLLISWDAPAVTVRYYRITYGETGGNSPVQEFTVPGSKSTATISGLKPGVDYTITVYAVTGRGDSPASSKPISINYRT (配列番号:1)である。従って、該野生型BCループはDAPAVTVR(配列番号:63)の配列を含有し; 該野生型DEループはGSKST(配列番号:64)の配列を含有し; 該野生型FGループはGRGDSPASSKP(配列番号:65)の配列を含有する。該BC、DE、およびFGループに隣接する配列はまたフレームワーク1、2、3、および4と称される。好ましくは、該フィブロネクチンベースのスキャフォールドは配列番号:1に基づいている。
【手続補正３】
【補正対象書類名】明細書
【補正対象項目名】配列表
【補正方法】変更
【補正の内容】
【配列表】
2010538972000001.app
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
酸化チタンおよび酸化タングステンの両方を含む機能フィルムを備えた低保守コーティングを主表面に有する基材であって、前記基材は、焼きなまし状態のガラスであり、前記機能フィルムは、厚さが１５０Å未満であり、さらに前記低保守コーティングは、アセトン分解速度が１．４×１０-10モル／（リットル）（秒）より高く、
前記機能フィルムのタングステン量は、金属のみの重量比が０．０１〜０．３４であることを特徴とし、この比率は、フィルム中のタングステンの重量をフィルム中のチタンの重量で割ったものであることを特徴とする基材。
【請求項２】
前記基材は、風冷強化されたガラスであり、かつ、アセトン分解速度は、４×１０-10モル／（リットル）（秒）より高い請求項１に記載の基材。
【請求項３】
前記低保守コーティングは、平均表面粗さが０．３５ｎｍ〜３．０ｎｍである請求項１または２に記載の基材。
【請求項４】
前記低保守コーティングは、前記基材と前記機能フィルムとの間にベースフィルムを備え、前記ベースフィルムと前記機能フィルムを合わせた厚さは、３５０Å未満である請求項１〜３のいずれかに記載の基材。
【請求項５】
前記機能フィルムは、前記低保守コーティングの露出した最外面を限定する実質的に均質なフィルムである請求項１〜４のいずれかに記載の基材。
【請求項６】
不活性ガスおよび反応性ガスの両方が流れ込む雰囲気中で少なくとも一つのターゲットを用いて堆積した高速スパッタフィルムであるベースフィルムと、酸化チタンおよび酸化タングステンの両方を含む機能フィルムとを備えた低保守コーティングを主表面に有する基材であって、前記不活性ガスの流入速度を前記反応性ガスの流入速度で割った値は、０．４〜９であり、前記機能フィルムは、酸化チタンおよび酸化タングステンの両方を含むスパッタ可能材料を有する少なくとも一つのターゲットから堆積した高速スパッタフィルムであることを特徴とする基材。
【請求項７】
前記低保守コーティングの平均表面粗さは、０．３５ｎｍ〜５．０ｎｍである請求項６に記載の基材。
【請求項８】
前記機能フィルムを堆積する際に用いるスパッタ可能ターゲット材料は、ｉ）酸化物の形態のタングステン、ｉｉ）ＴｉＯおよびｉｉｉ）ＴｉＯ2を含む請求項６または７に記載の基材。
【請求項９】
前記基材は、焼きなまし状態のガラスであり、前記機能フィルムは、厚さが１５０Å未満であり、さらに前記低保守コーティングは、アセトン分解速度が１．４×１０-10モル／（リットル）（秒）より高い請求項６〜８のいずれかに記載の基材。
【請求項１０】
前記基材は、風冷強化したガラスであり、前記機能フィルムは、厚さが１５０Å未満であり、さらに前記低保守コーティングは、アセトン分解速度が４×１０-10モル／（リットル）（秒）より高い請求項６〜９のいずれかに記載の基材。
【請求項１１】
不活性ガスおよび反応性ガスの両方が流れ込む雰囲気中で少なくとも一つのターゲットをスパッタする高速スパッタリング技術により堆積したベースフィルムと、機能フィルムとを備えた低保守コーティングを基材の主表面に堆積する方法であって、前記不活性ガスの流入速度を前記反応性ガスの流入速度で割った値は、０．４〜９であり、前記機能フィルムは、酸化チタンおよび酸化タングステンの両方を含むスパッタ可能材料を有する少なくとも一つのターゲットを用いる高速スパッタリング技術により堆積されることを特徴とする方法。
【請求項１２】
基材の主表面に低保守コーティングを堆積するスパッタリング技術であって、前記スパッタリング技術は、前記主表面にベースフィルムをスパッタ堆積し、酸化チタンおよび酸化タングステンの両方を含む機能フィルムを前記ベースフィルムにスパッタ堆積することを含み、前記スパッタ堆積は、堆積後の前記低保守コーティングの平均表面粗さが０．３５ｎｍ〜３．０ｎｍとなるように行われ、前記基材は、焼きなまし状態のガラスであり、前記機能フィルムは、厚さが１５０Å未満であり、さらに前記低保守コーティングは、アセトン分解速度が１．４×１０-10モル／（リットル）（秒）より高く、
前記スパッタ可能材料は、金属のみの重量比が０．０１〜０．３４であることを特徴とし、この比率は、スパッタ可能材料中のタングステンの重量をスパッタ可能材料中のチタンの重量で割ったものであることを特徴とするスパッタリング技術。
【請求項１３】
前記機能フィルムの厚さの少なくとも一部は、酸化チタンおよび酸化タングステンの両方を含むスパッタ可能材料を有する一つ以上のターゲットをスパッタリングすることで堆積され、前記スパッタ可能材料は、ｉ）酸化物の形態のタングステン、ｉｉ）ＴｉＯおよびｉｉｉ）ＴｉＯ2を含む請求項１２に記載のスパッタリング技術。
【請求項１４】
前記スパッタ可能材料は、本質的にｉ）酸化物の形態のタングステン、ｉｉ）ＴｉＯおよびｉｉｉ）ＴｉＯ2からなる請求項１３に記載のスパッタリング技術。
【請求項１５】
前記スパッタ可能材料中の実質的に全てのタングステンは、酸化物の形態である請求項１３または１４に記載のスパッタリング技術。
【請求項１６】
前記ベースフィルムのスパッタ堆積は、不活性ガスおよび反応性ガスの両方が流れ込む雰囲気中で行われ、前記不活性ガスの流入速度を前記反応性ガスの流入速度で割った値は、０．４〜９である請求項１２〜１５のいずれかに記載のスパッタリング技術。
【請求項１７】
前記不活性ガスは、アルゴンであり、前記反応性ガスは、酸素または窒素である請求項１６に記載のスパッタリング技術。
【請求項１８】
前記スパッタ堆積は、堆積後の前記低保守コーティングの平均表面粗さが０．３５ｎｍ〜１．５ｎｍとなるように行われる請求項１２〜１７のいずれかに記載のスパッタリング技術。
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
化学式Ａ１−ｘ‐Ｂｘ‐カルコゲナイドの無機フラーレン状（ＩＦ）ナノ構造体であって、Ａが金属又は遷移金属、又は、金属及び／又は遷移金属の合金であり、Ｂが金属又は遷移金属であり、ｘ≦０．３であり、ｘはゼロではなく、Ａ≠Ｂとする、ＩＦナノ構造体。
【請求項２】
Ａが、Ｍｏ、Ｗ、Ｒｅ、Ｔｉ、Ｚｒ、Ｈｆ、Ｎｂ、Ｔａ、Ｐｔ、Ｒｕ、Ｒｈ、Ｉｎ、Ｇａ、ＩｎＳ、ＩｎＳｅ、ＧａＳ、ＧａＳｅ、ＷＭｏ、ＴｉＷのうち少なくとも一つを含む、請求項１に記載のＩＦナノ構造体。
【請求項３】
Ｂが、Ｓｉ、Ｎｂ、Ｔａ、Ｗ、Ｍｏ、Ｓｃ、Ｙ、Ｌａ、Ｈｆ、Ｉｒ、Ｍｎ、Ｒｕ、Ｒｅ、Ｏｓ、Ｖ、Ａｕ、Ｒｈ、Ｐｄ、Ｃｒ、Ｃｏ、Ｆｅ、Ｎｉから選択されている、請求項１又は２に記載のＩＦナノ構造体。
【請求項４】
カルコゲナイドがＳ、Ｓｅ、Ｔｅから選択されている、請求項１から３のいずれか一項に記載のＩＦナノ構造体。
【請求項５】
カルコゲナイドがＳである、請求項２又は３に記載のＩＦナノ構造体。
【請求項６】
Ｍｏ１−ｘＮｂｘＳ２、Ｍｏ１−ｘＮｂｘＳｅ２、Ｗ１−ｘＴａｘＳ２、Ｗ１−ｘＴａｘＳｅ２、Ｒｅ１−ｘＷｘＳ２、Ｔｉ１−ｘＳｃｘＳ２、Ｚｒ１−ｘＹｘＳ２、Ｈｆ１−ｘＬａｘＳ２、Ｔａ１−ｘＨｆｘＳ２、Ｐｔ１−ｘＩｒｘＳ２、Ｒｕ１−ｘＭｎｘＳ２、Ｒｈ１−ｘＲｕｘＳ２、Ｍｏ１−ｘＲｅｘＳ２、Ｗ１−ｘＲｅｘＳ２、Ｒｅ１−ｘＯｓｘＳ２、Ｔｉ１−ｘＶｘＳ２、Ｚｒ１−ｘＮｂｘＳ２、Ｈｆ１−ｘＴａｘＳ２、Ｔａ１−ｘＷｘＳ２、Ｐｔ１−ｘＡｕｘＳ２、Ｒｕ１−ｘＲｈｘＳ２、Ｒｈ１−ｘＰｄｘＳ２から選択されている請求項１に記載のＩＦナノ構造体。
【請求項７】
ＩＦ‐Ｍｏ１−ｘＮｂｘＳ２であり、ｘ≦０．３である、請求項１から６のいずれか一項に記載のＩＦナノ構造体。
【請求項８】
ＩＦ‐Ｍｏ１−ｘＲｅｘＳ２であり、ｘ≦０．０５である、請求項１から６のいずれか一項に記載のＩＦナノ構造体。
【請求項９】
ＩＦ‐Ｗ１−ｘＲｅｘＳ２であり、ｘ≦０．０５である、請求項１から６のいずれか一項に記載のＩＦナノ構造体。
【請求項１０】
Ｗ１−ｘＮｂｘＳ２であり、ｘ≦０．３である、請求項１から６のいずれか一項に記載のＩＦナノ構造体。
【請求項１１】
金属又は遷移金属Ｂの原子がＡ‐カルコゲナイドの格子内に取り込まれている、請求項１に記載のＩＦナノ構造体。
【請求項１２】
金属又は遷移金属Ｂが該ナノ構造体内に均一に分布している、請求項１に記載のＩＦナノ構造体。
【請求項１３】
十分にファセット化されたナノ粒子である請求項１から１２のいずれか一項に記載のＩＦナノ構造体。
【請求項１４】
各層内においてランダムに入れ替わるＡ及びＢ化合物の原子の連続的な広がりを備える請求項１から１３のいずれか一項に記載のＩＦナノ構造体。
【請求項１５】
Ａ‐カルコゲナイドの格子内に交互に取り込まれているＡ及びＢ化合物の原子を備える請求項１から１４のいずれか一項に記載のＩＦナノ構造体。
【請求項１６】
化学式Ａ１−ｘ‐Ｂｘ‐カルコゲナイドのフラーレン状（ＩＦ）ナノ粒子であり、Ａが、Ｍｏ、Ｗ、Ｒｅ、Ｔｉ、Ｚｒ、Ｈｆ、Ｎｂ、Ｔａ、Ｐｔ、Ｒｕ、Ｒｈ、Ｉｎ、Ｇａ、ＩｎＳ、ＩｎＳｅ、ＧａＳ、ＧａＳｅ、ＷＭｏ、ＴｉＷのうち少なくとも一つを含む金属又は遷移金属、又は、金属及び／又は遷移金属の合金であり、Ｂが、Ｓｉ、Ｎｂ、Ｔａ、Ｗ、Ｍｏ、Ｓｃ、Ｙ、Ｌａ、Ｈｆ、Ｉｒ、Ｍｎ、Ｒｕ、Ｒｅ、Ｏｓ、Ｖ、Ａｕ、Ｒｈ、Ｐｄ、Ｃｒ、Ｃｏ、Ｆｅ、Ｎｉから選択された金属又は遷移金属であり、ｘ≦０．３であり、ナノ構造体内においてｘはゼロではなく、Ａ≠Ｂとして、Ａ１−ｘ‐カルコゲナイド内にドープされたＢ及びＢ‐カルコゲナイドを有するＩＦナノ粒子を製造するためのプロセスであって、
Ｙ１及びＹ２が塩化物、臭化物又はヨウ化物から選択された同一又は異なるハロゲンであるそれぞれ気相のＡ‐Ｙ１及びＢ‐Ｙ２組成物を提供する段階と、
Ａ‐Ｙ１及びＢ‐Ｙ２の蒸気を、フォーミングガスを運ぶ還元剤と共に、反応ガスを運ぶカルコゲナイドの逆方向の流れと交わる場所である反応チャンバ内に流入させることによって、Ａ及びＢ金属又は遷移金属の還元を発生させて、続いて、反応ガスを運ぶカルコゲナイドとの反応を生じさせて、ナノ構造体を形成する段階と、を備えたプロセス。
【請求項１７】
気相のＡ‐Ｙ１及びＢ‐Ｙ２組成物を提供する段階が、前記反応チャンバとは別の一つのチャンバ内でＡ‐Ｙ１及びＢ‐Ｙ２組成物を蒸発させる段階を備える、請求項１６に記載のプロセス。
【請求項１８】
気相のＡ‐Ｙ１及びＢ‐Ｙ２組成物を提供する段階が、前記反応チャンバとは別の二つチャンバ内でＡ‐Ｙ１及びＢ‐Ｙ２組成物をそれぞれ蒸発させる段階を備える、請求項１６に記載のプロセス。
【請求項１９】
Ａカルコゲナイド前駆体が特定の導電型の半導体であり、高い導電性を有する請求項１から１８のいずれか一項に記載のフラーレン状（ＩＦ）ナノ構造体。
【請求項２０】
ドナー又はアクセプターとして構成されている請求項１から１８のいずれか一項に記載のＩＦナノ構造体。
【請求項２１】
磁性ナノ構造体である請求項１から１８のいずれか一項に記載のＩＦナノ構造体。
【請求項２２】
ナノ構造導電体を形成するプロセスであって、請求項１６から１８に記載のプロセスを実施する段階を備え、Ａカルコゲナイド前駆体が特定の導電型の半導体であり、該前駆体から生成されるＩＦナノ粒子が高い導電性を有する、プロセス。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
横方向から負荷がかけられると監視されるべき負荷に応じて横方向に曲がるようになっている第１の耐荷重部材と、
通常の負荷状態下で前記第１の耐荷重部材から離間されるように、且つ、前記第１の耐荷重部材が負荷限度を超えて横方向で負荷を受けるときに前記第１の耐荷重部材と接触して前記第１の耐荷重部材によって負荷が与えられるように、前記第１の耐荷重部材に対して向きが定められる第２の耐荷重部材と、
を備え、
前記第１の耐荷重部材が、その後に更なる負荷を前記第２の耐荷重部材へ伝え、
横方向プローブの形態を成す負荷インジケータを含み、前記横方向プローブが、前記第１の耐荷重部材が前記第２の耐荷重部材と係合する方向へ移動する際に前記第１の耐荷重部材と協働して、インジケータ部材を撓ませる、
過負荷検出アセンブリ。
【請求項２】
前記第１の耐荷重部材が、負荷限度を下回る降伏点に設定され、降伏点に達した時点で永久歪みを起こして撓む、請求項１に記載の過負荷検出アセンブリ。
【請求項３】
降伏点が、前記第１の耐荷重部材及び第２の耐荷重部材が係合する前又は前記第１の耐荷重部材及び第２の耐荷重部材が係合するときに生じ得る、請求項１に記載の過負荷検出アセンブリ。
【請求項４】
前記インジケータ部材が、前記横方向プローブとの接触を超えるときに永久歪みを起こす降伏点を有する、請求項１〜３のいずれか１項に記載の過負荷検出アセンブリ。
【請求項５】
前記インジケータ部材が、前記第１の耐荷重部材及び第２の耐荷重部材が係合する前又は前記第１の耐荷重部材及び第２の耐荷重部材が係合するときに横方向歪みを起こす、請求項４に記載の過負荷検出アセンブリ。
【請求項６】
前記インジケータ部材が、前記第１の耐荷重部材の永久歪みに起因して横方向プローブによって撓んだ位置に保持される、請求項１〜３のいずれか１項に記載の過負荷検出アセンブリ。
【請求項７】
前記第１の耐荷重部材が、前記第２の耐荷重部材を内部で受ける管状部材を備え、もって、前記第１の耐荷重部材及び第２の耐荷重部材が、両端でランドにより係合するとともに、負荷の下で前記第１の耐荷重部材が前記第２の耐荷重部材に対して曲がることができるように中央領域で離間される、請求項１〜６のいずれか１項に記載の過負荷検出アセンブリ。
【請求項８】
前記第１の耐荷重部材及び第２の耐荷重部材の両方が、同軸に配置される円筒部材を備え得る、請求項７に記載の過負荷検出アセンブリ。
【請求項９】
前記インジケータ部材が、前記第２の耐荷重部材の孔内に設置され、前記第２の耐荷重部材の開口を貫通する前記横方向プローブと係合する円筒部材を備える、請求項１〜８のいずれか１項に記載の過負荷検出アセンブリ。
【請求項１０】
前記プローブが、前記第１の耐荷重部材の曲げを前記インジケータ部材へ伝えるために前記第１の耐荷重部材と前記インジケータ部材との間で前記開口内に装着されるピンを備える、請求項９に記載の過負荷検出アセンブリ。
【請求項１１】
前記インジケータ部材の移動を引き起こすことなく前記ピンの僅かな移動を受け入れるためにクリアランスが設けられる、請求項１０に記載の過負荷検出アセンブリ。
【請求項１２】
前記横方向プローブに類似する複数のプローブが設けられ、複数のプローブが、前記管状部材の周囲で周方向に離間された位置に配置される、請求項１０または１１に記載の過負荷検出アセンブリ。
【請求項１３】
前記第２の耐荷重部材に接続される径方向フランジを更に備え、前記径方向フランジが、互いに接続されるべき２つの構成要素のうちの一方側に対して、組み立てられた前記耐荷重部材の前記２つの構成要素の開口内への挿入によって軸線方向で当接するようになっている、請求項１〜１２のいずれか１項に記載の過負荷検出アセンブリ。
【請求項１４】
組み立てられた前記耐荷重部材がピボットピンを備える、請求項１３に記載の過負荷検出アセンブリ。
【請求項１５】
航空機のランディングギアのサイドステイにおける、請求項１〜１４のいずれか１項に記載の過負荷検出アセンブリ。
【請求項１６】
請求項１〜１５のいずれか１項に記載の過負荷検出アセンブリを備える航空機のランディングギア。
【請求項１７】
請求項１〜１３のいずれか１項に記載の過負荷検出アセンブリを備える航空機。